(57)【要約】【課題】ＷＰＳ−ＰＩＮ方式による更に簡便な設定が可能となる無線ＬＡＮ設定方法およびシステムを提供する。【解決手段】ＷＰＳ機能をサポートした端末（１０）およびアクセスポイント（２０）からなる無線ＬＡＮシステムにおいて、端末（１０）が、アクセスポイント接続設定要求に応じて、管理パケットにより自身のＰＩＮコードを公開し、アクセスポイント（２０）が、管理パケットを受信すると。ＰＩＮコードを用いて端末（１０）との間でＷＰＳ接続設定を実行する。【選択図】図２
2014175684.tif 000002
【特許請求の範囲】
【請求項１】
ＷＰＳ(Wi-Fi Protected Setup)機能をサポートした端末およびアクセスポイントからなる無線ＬＡＮシステムであって、
前記端末が、アクセスポイント接続設定要求に応じて、管理パケットにより自身のＰＩＮ(Personal Identification Number)コードを公開し、
前記アクセスポイントが、前記管理パケットを受信すると、前記ＰＩＮコードを用いて前記端末との間でＷＰＳ接続設定を実行する、
ことを特徴とする無線ＬＡＮシステム。
【請求項２】
前記管理パケットはプローブリクエストであることを特徴とする請求項１に記載の無線ＬＡＮシステム。
【請求項３】
ＷＰＳ(Wi-Fi Protected Setup)機能をサポートした端末およびアクセスポイントからなるシステムの無線ＬＡＮ設定方法であって、
前記端末が、アクセスポイント接続設定要求に応じて、管理パケットにより自身のＰＩＮ(Personal Identification Number)コードを公開し、
前記アクセスポイントが、前記管理パケットを受信すると、前記ＰＩＮコードを用いて前記端末との間でＷＰＳ接続設定を実行する、
ことを特徴とする無線ＬＡＮ設定方法。
【請求項４】
前記管理パケットはプローブリクエストであることを特徴とする請求項３に記載の無線ＬＡＮ設定方法。
【請求項５】
ＷＰＳ(Wi-Fi Protected Setup)機能をサポートした無線ＬＡＮ端末であって、
自身のＰＩＮ(Personal Identification Number)コードを管理パケットに挿入するＰＩＮコード挿入手段と、
アクセスポイント接続設定要求に応じて、前記ＰＩＮコードを含む管理パケットを生成して周囲のアクセスポイントへ送信し、前記管理パケットに対してアクセスポイントからＷＰＳ接続設定要求があると、前記アクセスポイントとの間でＷＰＳ接続設定を実行する制御手段と、
を有することを特徴とする無線ＬＡＮ端末。
【請求項６】
前記管理パケットはプローブリクエストであることを特徴とする請求項５に記載の無線ＬＡＮ端末。
【請求項７】
ＷＰＳ(Wi-Fi Protected Setup)機能をサポートした無線ＬＡＮアクセスポイントであって、
通信端末から受信した管理パケットにＰＩＮ(Personal Identification Number)コードが含まれていると、前記管理パケットから前記ＰＩＮコードを抽出するＰＩＮコード抽出手段と、
前記ＰＩＮコードを用いて前記通信端末に対してＷＰＳ接続設定要求を送信しＷＰＳ接続設定を実行する制御手段と、
を有することを特徴とする無線ＬＡＮアクセスポイント。
【請求項８】
前記管理パケットはプローブリクエストであることを特徴とする請求項７に記載の無線ＬＡＮアクセスポイント。
【請求項９】
ＷＰＳ(Wi-Fi Protected Setup)機能をサポートした無線ＬＡＮ端末としてコンピュータを機能させるプログラムであって、
自身のＰＩＮ(Personal Identification Number)コードを管理パケットに挿入するＰＩＮコード挿入機能と、
アクセスポイント接続設定要求に応じて、前記ＰＩＮコードを含む管理パケットを生成して周囲のアクセスポイントへ送信し、前記管理パケットに対してアクセスポイントからＷＰＳ接続設定要求があると、前記アクセスポイントとの間でＷＰＳ接続設定を実行する制御機能と、
を前記コンピュータに実現することを特徴とするプログラム。
【請求項１０】
ＷＰＳ(Wi-Fi Protected Setup)機能をサポートした無線ＬＡＮアクセスポイントとしてコンピュータを機能させるプログラムであって、
通信端末から受信した管理パケットにＰＩＮ(Personal Identification Number)コードが含まれていると、前記管理パケットから前記ＰＩＮコードを抽出するＰＩＮコード抽出機能と、
前記ＰＩＮコードを用いて前記通信端末に対してＷＰＳ接続設定要求を送信しＷＰＳ接続設定を実行する制御機能と、
を前記コンピュータに実現することを特徴とするプログラム。
【発明の詳細な説明】
【技術分野】
【０００１】
本発明は端末とアクセスポイントとからなる無線ＬＡＮシステムに係り、特に無線ＬＡＮの設定方法に関する。
【背景技術】
【０００２】
無線ＬＡＮ端末と無線ＬＡＮアクセスポイントとの間の無線ＬＡＮ設定を簡単に行う方式として、ＷＰＳ(Wi-Fi Protected Setup)−ＰＢＣ(push Button Configuration)方式やＷＰＳ−ＰＩＮ(Personal Identification Number)方式などが知られている。
【０００３】
ＷＰＳ−ＰＢＣ方式では、図１に示すように、ユーザが無線ＬＡＮ子機で設定開始要求を行い、ＷＰＳ設定中にアクセスポイントのボタン押下を行うことでＷＰＳ設定を完了する。電源オンによりＷＰＳ−ＰＢＣ動作を開始することで自動的なＷＰＳ接続処理を行う方法が特許文献１に開示されている。
【０００４】
ＷＰＳ−ＰＩＮ方式では、ユーザが事前にＰＩＮコードを調べておき、無線ＬＡＮ子機で設定開始要求を行った後、ＷＰＳ設定中にユーザが無線ＬＡＮ子機でＰＩＮコードを入力することでＷＰＳ設定を完了する。ＰＩＮコードの入力には、たとえば手入力や他の端末からブラウザを用いた入力などが知られている（たとえば特許文献２）。
【先行技術文献】
【特許文献】
【０００５】
【特許文献１】特開２０１０−２７８５３６号公報
【特許文献２】特開２０１３−０３８６９１号公報
【発明の概要】
【発明が解決しようとする課題】
【０００６】
しかしながら、ＷＰＳ−ＰＢＣ方式ではユーザがボタンを押すために無線ＬＡＮアクセスポイントの設置場所まで行く必要があり、ＷＰＳ−ＰＩＮ方式では事前にＰＩＮコードを調べたりブラウザで表示させたりする必要があり、簡単な無線ＬＡＮ設定とは言いがたかった。
そこで、本発明の目的は、ＷＰＳ−ＰＩＮ方式による更に簡便な設定が可能となる無線ＬＡＮ設定方法およびシステムを提供することにある。
【課題を解決するための手段】
【０００７】
本発明による無線ＬＡＮシステムは、ＷＰＳ(Wi-Fi Protected Setup)機能をサポートした端末およびアクセスポイントからなる無線ＬＡＮシステムであって、前記端末が、アクセスポイント接続設定要求に応じて、管理パケットにより自身のＰＩＮ(Personal Identification Number)コードを公開し、前記アクセスポイントが、前記管理パケットを受信すると、前記ＰＩＮコードを用いて前記端末との間でＷＰＳ接続設定を実行する、
ことを特徴とする。
【０００８】
本発明による無線ＬＡＮ設定方法は、ＷＰＳ(Wi-Fi Protected Setup)機能をサポートした端末およびアクセスポイントからなるシステムの無線ＬＡＮ設定方法であって、前記端末が、アクセスポイント接続設定要求に応じて、管理パケットにより自身のＰＩＮ(Personal Identification Number)コードを公開し、前記アクセスポイントが、前記管理パケットを受信すると、前記ＰＩＮコードを用いて前記端末との間でＷＰＳ接続設定を実行する、とを特徴とする。
【発明の効果】
【０００９】
本発明によれば、端末がＰＩＮコードを公開することによりＷＰＳ−ＰＩＮ方式による更に簡便な設定が可能となる。
【図面の簡単な説明】
【００１０】
【図１】図１はＷＰＳ−ＰＢＣ方式およびＷＰＳ−ＰＩＮ方式の手順について説明するための模式図である。
【図２】図２は本発明の一実施形態による無線ＬＡＮ設定システムの概略的構成図である。
【図３】図３は本発明の一実施例による無線ＬＡＮ子機と無線ＬＡＮアクセスポイントの概略的構成を示すブロック図である。
【図４】図４は本実施例による無線ＬＡＮ設定方法を示すシーケンス図である。
【図５】図５は本実施例による無線ＬＡＮ子機の動作を示すフローチャートである。
【図６】図６は本実施例による無線ＬＡＮアクセスポイントの動作を示すフローチャートである。
【発明を実施するための形態】
【００１１】
１．実施形態
本発明の実施形態によれば、無線ＬＡＮ端末がＰＩＮコードを公開し、無線ＬＡＮアクセスポイント側にＷＰＳ−ＰＩＮ方式による設定を促すことで、ユーザが予め行うべきＰＩＮコードの調査や設定時の入力作業を省略することができる。
【００１２】
図２を参照すると、まず、無線ＬＡＮ端末である子機１０が自身のＰＩＮコードを情報要素（ＩＥ : Information Element)領域に含む管理パケットを周囲のアクセスポイントに向けて送信する（動作Ｓ１１）。以下、管理パケットとしてプローブリクエスト（Probe Request）を用いるものとする。
【００１３】
プローブリクエストを受信した無線ＬＡＮアクセスポイント２０は、受信したプローブリクエストのＩＥからＰＩＮコード情報を抽出し、抽出されたＰＩＮコードを用いて無線ＬＡＮアクセスポイント２０をレジストラ（Registrar）、子機２０をエンローリー（Enrollee）としてＷＰＳ−ＰＩＮ方式の設定処理を実行する（動作Ｓ２１）。
【００１４】
この方法では、子機１０が自動的にＰＩＮコードを公開するので、ユーザがＰＩＮコードを事前に確認したりＷＰＳ設定中に入力したり必要がなく、ＰＩＮコードを無線ＬＡＮアクセスポイント２０に伝えることができる。また、ＷＰＳ−ＰＢＣ方式のようにユーザがアクセスポイントのボタンを押下する必要もない。以下、本発明の実施例について図面を参照しながら詳細に説明する。
【００１５】
２．実施例
２．１）構成
図３に示すように、本発明の一実施例による無線ＬＡＮシステムは、無線ＬＡＮ端末である子機１０と、子機１０が帰属する無線ＬＡＮアクセスポイント２０とから構成され、子機１０および無線ＬＡＮアクセスポイント２０はＷＰＳ−ＰＩＮ方式をサポートしているものとする。なお、子機１０の周囲に複数の無線ＬＡＮアクセスポイントが存在してよいが、最終的に子機１０が帰属するアクセスポイントを無線ＬＡＮアクセスポイント２０とする。
【００１６】
子機１０は、通常の無線ＬＡＮ端末と同様に、表示部や操作部を含むユーザインタフェース、無線ＬＡＮインタフェース１０１および制御部１０２を有する。制御部１０２は子機としての動作全体を制御すると共に、ＰＩＮコード挿入部１０２ａおよびＷＰＳスタック１０２ｂを機能として有する。ＰＩＮコード挿入部１０２ａはプローブリクエストのＩＥにＰＩＮコードを挿入し、生成されたプローブリクエストを無線ＬＡＮインタフェース１０１を通して送信する。なお、このような制御部１０２の機能は、図示しない記憶部に格納されたプログラムをコンピュータ（あるいはＣＰＵ(Central Processing Unit)）上で実行することにより実現することも可能である。
【００１７】
無線ＬＡＮアクセスポイント２０は通常の無線ＬＡＮアクセスポイントと同様に無線ＬＡＮインタフェース２０１と制御部２０２とを有する。制御部２０２はアクセスポイントとしての動作全体を制御すると共に、ＰＩＮコード抽出部２０２ａおよびＷＰＳスタック２０２ｂを機能として有する。ＰＩＮコード抽出部２０２ａは、無線ＬＡＮインタフェース２０１を通して受信したパケットからＰＩＮコードを抽出し、抽出されたＰＩＮコードを用いて後述するようにＷＰＳ方式の設定を実行する。なお、このような制御部２０２の機能は、図示しない記憶部に格納されたプログラムをコンピュータ（あるいはＣＰＵ(Central Processing Unit)）上で実行することにより実現することも可能である。
【００１８】
２．２）システム動作
図４において、子機１０はユーザから接続設定要求を受けると（動作Ｓ３０１）、自身の設定用ＰＩＮコードをＩＥとして含んだプローブリクエストパケットを周囲のアクセスポイントに向けて送信する（動作Ｓ３０２）。無線ＬＡＮアクセスポイント２０はＰＩＮコードを含んだプローブリクエストパケットを受信すると、ＩＥより送信元子機のＰＩＮコードを抽出する（動作Ｓ３０３）。そして、無線ＬＡＮアクセスポイント２０は、自己をレジストラ、ＰＩＮコードの送信元の子機１０をエンローリーとし、抽出したＰＩＮコードを用いてＷＰＳ−ＰＩＮ方式の設定処理を実行する（動作Ｓ３０５）。こうして設定か成功すると（動作Ｓ３０６）、子機１０は無線ＬＡＮアクセスポイント２０の無線設定が反映されて帰属状態となる（動作Ｓ３０７）。
【００１９】
２．３）子機およびアクセスポイントの動作
次に、図５および図６を参照しながら、本実施例による子機１０と無線ＬＡＮアクセスポイント２０のより具体的な動作について説明する。
【００２０】
図５において、子機１０の制御部１０２は、ユーザから無線設定開始要求を受けると、プローブリクエストのＩＥ領域に自身のＰＩＮコードを挿入して周囲のアクセスポイントに送信し（動作Ｓ４０１）、そのプローブリクエストに対する周囲の無線ＬＡＮアクセスポイントからのＷＰＳ−ＰＩＮ方式の設定リクエストを待つ（動作Ｓ４０２）。ＷＰＳ実行待ち状態において一定時間リクエストがなく、タイムアウトすると（動作Ｓ４０２；タイムアウト）、設定失敗として処理を完了する（動作Ｓ４０５）。無線ＬＡＮアクセスポイント２０からＷＰＳ要求を受信すると（動作Ｓ４０２；ＷＰＳ設定要求受信）、制御部１０２はＷＰＳ設定を実行し（動作Ｓ４０３）、成功すれば無線ＬＡＮ設定を完了して無線ＬＡＮアクセスポイントに帰属可能となり（動作Ｓ４０４）、失敗すれば設定失敗として処理を完了する（動作Ｓ４０５）。
【００２１】
図６において、無線ＬＡＮアクセスポイント２０の制御部２０２は、無線パケットを受信すると（動作Ｓ５０１）、そのパケットが無線ＬＡＮ子機からのプローブリクエストであってＩＥ領域にＰＩＮコードを含むか否かを確認する（動作Ｓ５０２）。ＰＩＮコードを含むプローブリクエストであれば（動作Ｓ５０２；ＹＥＳ）、制御部２０２はプローブリクエストからＰＩＮコードを抽出し（動作Ｓ５０３）、抽出されたＰＩＮコードを用いて子機１０との間でＷＰＳ設定を開始する（動作Ｓ５０４）。ＷＰＳが成功すれば（動作Ｓ５０４；成功）、無線ＬＡＮ設定を完了する（動作Ｓ５０５）。これにより子機１０は無線ＬＡＮアクセスポイント２０の設定が反映され帰属可能になる。ＷＰＳが失敗すれば（動作Ｓ５０４；失敗）、設定失敗として処理を完了する（動作Ｓ５０６）。なお、ＰＩＮコードを含むプローブリクエストでなければ（動作Ｓ５０２；ＮＯ）、制御部２０２は受信パケットを通常パケットとして扱い、通常の受信処理を実行する（動作Ｓ５０７）。
【００２２】
２．３）効果
上述したように、本発明の実施例によれば、プローブリクエストを用いてＰＩＮコードを周辺アクセスポイントへ公開することで、アクセスポイントのＷＰＳ設定処理をトリガすることができるので、無線ＬＡＮ子機に一度要求をかけるだけでＷＰＳ設定を完了させることができる。すなわち、図１に示すようなアクセスポイントのボタン操作とかＰＩＮコードを事前に調べて入力するとかの煩わしい操作が不要となるという効果がある。
【００２３】
３．その他
上述した実施例では、無線ＬＡＮ子機がプローブリクエストを用いてＰＩＮコードを伝えた場合を説明したが、ＰＩＮコードは無線ＬＡＮアクセスポイント側から送信してもよい。この場合、レジストラとエンローリーが逆になる。
【００２４】
また、無線ＬＡＮアクセスポイントがビーコン（Beacon）のSSIDにＰＩＮコードを採用し、ユーザに直接見える形で通知する方法も考えられる。この場合、無線ＬＡＮ側はＰＩＮコードを手動入力とすれば、子機側には特に追加の機能が必要なく、対象ＡＰのＳＳＩＤがわかれば事前にＰＩＮコードを調べる手間の省略ができる。無線ＬＡＮ子機の送信するプローブリクエストは送信対象がユーザ指定のアクセスポイント、あらゆるアクセスポイントのどちらも指定可能とする。あらゆるアクセスポイントを対象とした場合、無線ＬＡＮ子機側にて、ＷＰＳ−ＰＩＮ方式を実行してきた無線ＬＡＮアクセスポイントを受け入れるか否かの選択をさせることも可能である。
【産業上の利用可能性】
【００２５】
本発明は無線ＬＡＮ機能を持つクライアント装置およびアクセスポイント装置に適用可能である。
【符号の説明】
【００２６】
１０  無線ＬＡＮ子機
２０  無線ＬＡＮアクセスポイント
１０１  無線ＬＡＮインタフェース
１０２  制御部
１０２ａ  ＰＩＮコード挿入部
１０２ｂ  ＷＰＳスタック
２０１  無線ＬＡＮインタフェース
２０２  制御部
２０２ａ  ＰＩＮコード抽出部
２０２ｂ  ＷＰＳスタック
【図１】
2014175684.tif 000003
【図２】
2014175684.tif 000004
【図３】
2014175684.tif 000005
【図４】
2014175684.tif 000006
【図５】
2014175684.tif 000007
【図６】
2014175684.tif 000008